【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
ユーザ機器(UE)において、ワイヤレス通信における通信を行うための方法であって、
第1のタイプの基準信号(RS)または第2のタイプのRSに従って基地局と通信するための設定を受信するステップであって、前記第1のタイプのRSおよび前記第2のタイプのRSが、前記基地局によって前記設定に従って前記UEに送信され、前記第1のタイプのRSがセル固有RSであり、前記第1のタイプのRSがアップリンク通信のための関連する第1のタイムラインと前記アップリンク通信を送信するための関連する第1のタイミングアドバンスとを含み、前記第2のタイプのRSが復調RSであり、前記第2のタイプのRSがアップリンク通信のための関連する第2のタイムラインと前記アップリンク通信を送信するための関連する第2のタイミングアドバンスとを含む、ステップと、
前記設定に従って前記基地局からダウンリンク通信を受信するステップと、
前記ダウンリンク通信に対応するアップリンク通信を送信するために構成されるタイムラインおよびタイミングアドバンスを判定するステップであって、前記第1のタイプのRSについて、前記タイムラインが前記関連する第1のタイムラインであり、前記タイミングアドバンスが前記関連する第1のタイミングアドバンスであり、前記第2のタイプのRSについて、前記タイムラインが前記関連する第2のタイムラインであり、前記タイミングアドバンスが前記関連する第2のタイミングアドバンスであり、前記第1のタイミングアドバンスが前記第2のタイミングアドバンスとは異なる、ステップと、
前記タイミングアドバンスおよび前記タイムラインに基づいて前記基地局に前記アップリンク通信を送るステップとを含む方法。
【請求項２】
前記タイムラインは、
前記アップリンク通信を送信するための第1のオフセットであって、前記第1のタイプのRSに基づいて前記ダウンリンク通信を処理すべきであるとの判定に基づいて前記アップリンク通信を送信するために前記ダウンリンク通信が受信される送信時間間隔(TTI)から決定される、第1のオフセット、または
前記アップリンク通信を送信するための第2のオフセットであって、前記第2のタイプのRSに基づいて前記ダウンリンク通信を処理すべきであるとの判定に基づいて前記アップリンク通信を送信するために前記ダウンリンク通信が受信される送信時間間隔(TTI)から決定される、第2のオフセットにさらに関する、請求項1に記載の方法。
【請求項３】
前記タイムラインは、前記ダウンリンク通信を送信するために使用されるシンボルの数にさらに基づく、請求項2に記載の方法。
【請求項４】
前記基地局から受信されるインジケータに少なくとも部分的に基づいて前記第1のタイプのRSまたは前記第2のタイプのRSを使用して前記ダウンリンク通信を処理するステップをさらに含む、請求項1に記載の方法。
【請求項５】
前記第1のタイプのRSまたは前記第2のタイプのRSを使用して前記ダウンリンク通信を処理することに基づいて前記基地局から受信されるレートマッチングインジケータを判定するステップをさらに含む、請求項4に記載の方法。
【請求項６】
前記レートマッチングインジケータを判定するステップは、前記ダウンリンク通信を前記第2のタイプのRSに基づいて処理すべきであるとの判定に基づいて、ダウンリンクグラントが短送信時間間隔(sTTI)内の第1のシンボルにおいて存在し、アップリンクグラントが前記sTTI内の第2のシンボルにおいて存在すると判定するステップを含み、前記第2のタイプのRSは復調RSである、請求項5に記載の方法。
【請求項７】
前記レートマッチングインジケータに基づいて前記第2のシンボル内にアップリンクグラントが存在するかどうかを判定するステップをさらに含む、請求項6に記載の方法。
【請求項８】
前記レートマッチングインジケータに基づいてアップリンクグラントに使用される前記第2のシンボルの1つまたは複数の部分を判定するステップをさらに含む、請求項6に記載の方法。
【請求項９】
前記レートマッチングインジケータを判定するステップは、前記ダウンリンク通信を前記第2のタイプのRSに基づいて処理すべきであるとの判定に基づいて、ダウンリンクグラントおよびアップリンクグラントが短送信時間間隔(sTTI)内の少なくとも第1のシンボルおよび第2のシンボルにおいて存在すると判定するステップを含み、前記第2のタイプのRSは復調RSである、請求項5に記載の方法。
【請求項１０】
ワイヤレス通信における通信のための装置であって、
第1のタイプの基準信号(RS)または第2のタイプのRSに従って基地局と通信するための設定を受信するための手段であって、前記第1のタイプのRSおよび前記第2のタイプのRSが、前記基地局によって前記設定に従って送信され、前記第1のタイプのRSがセル固有RSであり、前記第1のタイプのRSがアップリンク通信のための関連する第1のタイムラインと前記アップリンク通信を送信するための関連する第1のタイミングアドバンスとを含み、前記第2のタイプのRSが復調RSであり、前記第2のタイプのRSがアップリンク通信のための関連する第2のタイムラインと前記アップリンク通信を送信するための関連する第2のタイミングアドバンスとを含む、手段と、
前記設定に従って前記基地局からダウンリンク通信を受信するための手段と、
前記ダウンリンク通信に対応するアップリンク通信を送信するために構成されるタイムラインおよびタイミングアドバンスを判定するための手段であって、前記第1のタイプのRSについて、前記タイムラインが前記関連する第1のタイムラインであり、前記タイミングアドバンスが前記関連する第1のタイミングアドバンスであり、前記第2のタイプのRSについて、前記タイムラインが前記関連する第2のタイムラインであり、前記タイミングアドバンスが前記関連する第2のタイミングアドバンスであり、前記第1のタイミングアドバンスが前記第2のタイミングアドバンスとは異なる、手段と、
前記タイミングアドバンスおよび前記タイムラインに基づいて前記基地局に前記アップリンク通信を送るための手段とを備える装置。
【請求項１１】
前記タイムラインは、
前記アップリンク通信を送信するための第1のオフセットであって、前記第1のタイプのRSに基づいて前記ダウンリンク通信を処理すべきであるとの判定に基づいて前記アップリンク通信を送信するために前記ダウンリンク通信が受信される送信時間間隔(TTI)から決定される、第1のオフセット、または
前記アップリンク通信を送信するための第2のオフセットであって、前記第2のタイプのRSに基づいて前記ダウンリンク通信を処理すべきであるとの判定に基づいて前記アップリンク通信を送信するために前記ダウンリンク通信が受信される送信時間間隔(TTI)から決定される、第2のオフセットにさらに関する、請求項10に記載の装置。
【請求項１２】
前記タイムラインは、前記ダウンリンク通信を送信するために使用されるシンボルの数にさらに基づく、請求項11に記載の装置。
【請求項１３】
前記基地局から受信されるインジケータに少なくとも部分的に基いて前記第1のタイプのRSまたは前記第2のタイプのRSを使用して前記ダウンリンク通信を処理するための手段をさらに備える、請求項10に記載の装置。
【請求項１４】
前記第1のタイプのRSまたは前記第2のタイプのRSを使用して前記ダウンリンク通信を処理することに基づいて前記基地局から受信されるレートマッチングインジケータを判定するための手段をさらに備える、請求項13に記載の装置。
【請求項１５】
1つまたは複数のプロセッサにより実行されたときに、前記1つまたは複数のプロセッサに請求項1から9のうちのいずれか一項に記載の方法を実行させるコードを備えるコンピュータ可読記録媒体。